【手続補正書】
【提出日】平成30年3月29日(2018.3.29)
【手続補正１】
【補正対象書類名】明細書
【補正対象項目名】０２３１
【補正方法】変更
【補正の内容】
【０２３１】
本開示の範囲及び趣旨から外れることなく、本発明の予測可能な修正及び変更が当業者には自明であろう。本発明は、例証の目的のために本出願において説明された実施形態に限定されるべきではない。本発明の実施態様の一部を以下の項目［１］−［１５］に記載する。
［項目１］
フィルムの幅方向に沿って配設された第１のセグメント及び第２のセグメントを備えるフィルムであって、前記第２のセグメントは、前記第１のセグメントより弾性的であり、前記第２のセグメントを延伸するのに必要な力は、前記第１のセグメントを延伸するのに必要な力よりも小さく、前記第１のセグメントの少なくとも一部は、それらの厚さを通した開孔を備え、前記開孔によって占有される前記第１のセグメントの面積の割合は、前記第２のセグメントを通じて延在し得る任意の開孔によって占有される面積の割合より大きい、フィルム。
［項目２］
前記第１のセグメント及び前記第２のセグメントは、第１のポリマー組成物及び弾性的なポリマー組成物をそれぞれ含む交互になっているサイドバイサイドのストライプであり、前記弾性的なポリマー組成物は前記第１のポリマー組成物より弾性的である、項目１に記載のフィルム。
［項目３］
前記第１のセグメント又は前記第２のセグメントのうち少なくとも一部は、前記フィルムの厚さ方向において第１の層及び第２の層を含む層状化されたセグメントであり、前記第１の層及び前記第２の層は異なるポリマー組成物を有する、項目１に記載のフィルム。
［項目４］
前記第１のセグメントは第１のポリマー組成物を含み、前記第２のセグメントは、芯及び鞘を備えるストランドであり、前記芯は弾性的な組成物を含み、前記鞘より弾性的であり、前記第１のポリマー組成物より弾性的である、項目１に記載のフィルム。
［項目５］
前記第１のセグメントは、第１のポリマー組成物を含み、前記第２のセグメントは、前記第１のセグメントと連続する前記第１のポリマー組成物のマトリックスに埋め込まれた前記第１のポリマー組成物より弾性的である弾性的なポリマー組成物のストランドを備える、項目１に記載のフィルム。
［項目６］
前記フィルムは、弾性的なポリマー組成物の層と前記第１のポリマー組成物の少なくとも一層とを備える多層積層体であり、前記フィルムは前記第２のセグメントを前記第１のセグメントより弾性的にするように漸増的に延伸されている、項目１に記載のフィルム。
［項目７］
前記第１のセグメントは、紫外線吸収性添加剤、造孔剤、染料、又は顔料のうち少なくとも１つを含む第１のポリマー組成物を含む、項目１に記載のフィルム。
［項目８］
前記第１のセグメントが微細空孔を更に含む、項目１に記載のフィルム。
［項目９］
前記第１のセグメント及び前記第２のセグメントがそれぞれ、長さ、幅、及び高さを有し、前記長さは最長寸法であり、前記厚さは最小寸法であり、前記第１のセグメント及び前記第２のセグメントのそれぞれの幅は、最大５ミリメートルである、項目１に記載のフィルム。
［項目１０］
繊維状担体と結合した項目１〜９のいずれか一項に記載のフィルムを含む積層体。
［項目１１］
項目１〜９のいずれか一項に記載のフィルムを含む、吸収性物品。
［項目１２］
フィルムの幅方向に沿って配設された第１のセグメント及び第２のセグメントを備えるフィルムであって、前記第２のセグメントは、前記第１のセグメントより弾性的であり、前記第２のセグメントを延伸するのに必要な力が、前記第１のセグメントを延伸するのに必要な力より小さい、フィルムを提供することと、
開孔によって占有された前記第１のセグメントの面積の割合が、前記第２のセグメントを通して延在し得る任意の開孔によって占有された面積の割合より大きいように、前記第１のセグメントの少なくとも一部に開孔を形成することと、を含む、項目１〜９のいずれか一項に記載のフィルムの製造方法。
［項目１３］
開孔が前記第２のセグメントを通して形成されていない、項目１２に記載の方法。
［項目１４］
前記フィルムを延伸させて、前記開孔を形成する前に、前記第１のセグメントを塑性変形することを更に含む、項目１２に記載の方法。
［項目１５］
前記開孔が、レーザ、加熱したニードル、打抜き、又は真空成形を用いて前記第１のセグメントに形成されている、項目１２に記載の方法。
【手続補正２】
【補正対象書類名】特許請求の範囲
【補正対象項目名】全文
【補正方法】変更
【補正の内容】
【特許請求の範囲】
【請求項１】
フィルムの幅方向に沿って配設された第１のセグメント及び第２のセグメントを備えるフィルムであって、前記第２のセグメントは、前記第１のセグメントより弾性的であり、前記第２のセグメントを延伸するのに必要な力は、前記第１のセグメントを延伸するのに必要な力よりも小さく、前記第１のセグメントの少なくとも一部は、それらの厚さを通した開孔を備え、前記開孔によって占有される前記第１のセグメントの面積の割合は、前記第２のセグメントを通じて延在し得る任意の開孔によって占有される面積の割合より大きい、フィルム。
【請求項２】
前記第１のセグメント及び前記第２のセグメントは、第１のポリマー組成物及び弾性的なポリマー組成物をそれぞれ含む交互になっているサイドバイサイドのストライプであり、前記弾性的なポリマー組成物は前記第１のポリマー組成物より弾性的である、又は
前記第１のセグメント又は前記第２のセグメントのうち少なくとも一部は、前記フィルムの厚さ方向において第１の層及び第２の層を含む層状化されたセグメントであり、前記第１の層及び前記第２の層は異なるポリマー組成物を有する、又は
前記第１のセグメントは第１のポリマー組成物を含み、前記第２のセグメントは、芯及び鞘を備えるストランドであり、前記芯は弾性的な組成物を含み、前記鞘より弾性的であり、前記第１のポリマー組成物より弾性的である、又は
前記第１のセグメントは、第１のポリマー組成物を含み、前記第２のセグメントは、前記第１のセグメントと連続する前記第１のポリマー組成物のマトリックスに埋め込まれた前記第１のポリマー組成物より弾性的である弾性的なポリマー組成物のストランドを備える、請求項１に記載のフィルム。
【請求項３】
前記フィルムは、弾性的なポリマー組成物の層と前記第１のポリマー組成物の少なくとも一層とを備える多層積層体であり、前記フィルムは前記第２のセグメントを前記第１のセグメントより弾性的にするように漸増的に延伸されている、請求項１に記載のフィルム。
【請求項４】
前記第１のセグメントは、紫外線吸収性添加剤、造孔剤、染料、又は顔料のうち少なくとも１つを含む第１のポリマー組成物を含む、請求項１〜３のいずれか一項に記載のフィルム。
【請求項５】
前記第１のセグメントが微細空孔を更に含む、請求項１〜４のいずれか一項に記載のフィルム。
【請求項６】
前記第１のセグメント及び前記第２のセグメントがそれぞれ、長さ、幅、及び高さを有し、前記長さは最長寸法であり、前記厚さは最小寸法であり、前記第１のセグメント及び前記第２のセグメントのそれぞれの幅は、最大５ミリメートルである、請求項１〜５のいずれか一項に記載のフィルム。
【請求項７】
繊維状担体と結合した請求項１〜６のいずれか一項に記載のフィルムを含む積層体。
【請求項８】
請求項１〜６のいずれか一項に記載のフィルムを含む、吸収性物品。
【請求項９】
フィルムの幅方向に沿って配設された第１のセグメント及び第２のセグメントを備えるフィルムであって、前記第２のセグメントは、前記第１のセグメントより弾性的であり、前記第２のセグメントを延伸するのに必要な力が、前記第１のセグメントを延伸するのに必要な力より小さい、フィルムを提供することと、
開孔によって占有された前記第１のセグメントの面積の割合が、前記第２のセグメントを通して延在し得る任意の開孔によって占有された面積の割合より大きいように、前記第１のセグメントの少なくとも一部に開孔を形成することと、を含む、請求項１〜６のいずれか一項に記載のフィルムの製造方法。
【請求項１０】
前記開孔が、レーザ、加熱したニードル、打抜き、又は真空成形を用いて前記第１のセグメントに形成されている、請求項９に記載の方法。